(57)【要約】【課題】送信側の携帯端末から受信側の携帯端末に送信されるテキストメッセージをより容易に入力可能な通知システム、通知方法及び通知プログラムを提供すること。【解決手段】本発明にかかる通知システム１は、ユーザの音声メッセージを、テキストメッセージに変換し、テキストメッセージを送信する、音声変換送信手段１１を有する第１の携帯端末１０と、第１の携帯端末１０から送信されたテキストメッセージを、予め登録された１以上の第２の携帯端末に転送する、転送手段２１を有するサーバ２０と、サーバ２０から受け取ったテキストメッセージを、第１の携帯端末の登録情報と共に表示する、メッセージ表示手段３１を有する第２の携帯端末３０と、を有するものである。【選択図】図１
2013197911.tif 000002
【特許請求の範囲】
【請求項１】
ユーザの音声メッセージを、テキストメッセージに変換し、前記テキストメッセージを送信する、音声変換送信手段を有する第１の携帯端末と、
前記第１の携帯端末から送信されたテキストメッセージを、予め登録された１以上の第２の携帯端末に転送する、転送手段を有するサーバと、
前記サーバから受け取ったテキストメッセージを、前記第１の携帯端末の登録情報と共に表示する、メッセージ表示手段を有する第２の携帯端末と、を有する、通知システム。
【請求項２】
前記メッセージ表示手段は、
前記サーバから受け取ったテキストメッセージから、前記第１の携帯端末の着信の可否を示す情報である、着信可否情報を取得する、情報取得手段と、
前記情報取得手段の情報取得結果を、前記第２の携帯端末に予め登録された、前記第１の携帯端末の登録情報と共に表示する表示手段と、を有する、請求項１に記載の通知システム。
【請求項３】
前記情報取得手段は、前記テキストメッセージから、予定時刻を示す情報である時刻情報を取得し、
前記表示手段は、前記情報取得結果を、前記時刻情報に基づいて表示する、請求項２に記載の通知システム。
【請求項４】
前記サーバは、
前記第１の携帯端末の識別情報と、前記第１の携帯端末の識別情報と関連づけられて登録された、前記第２の携帯端末に前記テキストメッセージを送信するための送信先情報と、が登録したユーザデータベースを有し、
前記転送手段は、前記第１の携帯端末から送信された前記テキストメッセージを、前記ユーザデータベースに登録された前記第２の携帯端末の送信先に転送する請求項１乃至３のうちいずれか１項に記載の通知システム。
【請求項５】
前記データベースは、
複数の前記第２の携帯端末の送信先情報が複数のグループに分けて登録され、
前記サーバは、
更に、前記第１の携帯端末から受け取った前記テキストメッセージから、前記テキストメッセージを転送する前記グループを判断する、サーバ判断手段を有し、
前記転送手段は、前記サーバ判断手段の判断結果に基づいて、前記テキストメッセージを転送するグループを変更する請求項４に記載の通知システム。
【請求項６】
前記音声変換送信手段は、
前記ユーザの音声メッセージを、テキストメッセージに変換する変換手段と、
前記テキストメッセージを、メールにして送信するメール送信手段と、を有する請求項１乃至５のうちいずれか１項に記載の通知システム。
【請求項７】
第１の携帯端末により、ユーザの音声メッセージを、テキストメッセージに変換してサーバに送信し、
前記テキストメッセージを前記サーバで第２の携帯端末に転送し、
前記第２の携帯端末が、前記テキストメッセージを、前記第１の携帯端末の登録情報と共に表示する、通知方法。
【請求項８】
サーバに対して、テキストメッセージを送信する際は、ユーザの音声メッセージを、テキストメッセージに変換させる処理、及び前記テキストメッセージを、サーバに対して送信させる処理をコンピュータに実行させ、
前記サーバからテキストメッセージを受信する際は、前記テキストメッセージを、送信元の第１の携帯端末の登録情報と共に表示させる処理をコンピュータに実行させる、通知プログラム。
【発明の詳細な説明】
【技術分野】
【０００１】
本発明は通知システム、通知方法及び通知プログラムに関し、特に携帯端末の通知システム、通知方法及び通知プログラムに関する。
【背景技術】
【０００２】
一般に、携帯端末を所持するユーザは、相手ユーザの携帯端末へ音声電話発信やメール発信を実行することで、相手ユーザの状況を確認することが可能である。
【０００３】
しかし、相手ユーザが電話に出ることができない場合や、メールに対する返信ができない場合には、ユーザは相手ユーザの状況を確認できない場合があった。また、ユーザが相手ユーザの都合が悪いタイミングで発信してしまい、相手ユーザに迷惑をかけてしまう場合があった。
【０００４】
特許文献１には、相互状況通知システムが記載されている。特許文献１に記載の技術では、送信側の携帯端末は、自分の現況情報を入力する現況情報入力手段と、入力された現況情報をサーバに送信する現況情報送信手段とを備える。送信側携帯端末を使用して現況情報をサーバに送信すると、その内容がサーバを介して受信側端末にメール送信され、受信側端末の待ち受け画面に現況情報が表示される。
【先行技術文献】
【特許文献】
【０００５】
【特許文献１】特開２００２−３６６４９５号公報
【発明の概要】
【発明が解決しようとする課題】
【０００６】
しかしながら、特許文献１に記載の技術では、現況を相手ユーザに通知するために、現況を文章で登録しなければならず、ユーザが行う現況の入力処理が煩雑であるという問題があった。
【０００７】
本発明は、このような問題点を解決するためになされたものであり、送信側の携帯端末から受信側の携帯端末に送信されるテキストメッセージをより容易に入力可能な通知システム、通知方法及び通知プログラムを提供することを目的とする。
【課題を解決するための手段】
【０００８】
本発明にかかる通知システムは、ユーザの音声メッセージを、テキストメッセージに変換し、テキストメッセージを送信する、音声変換送信手段を有する第１の携帯端末と、携帯端末から送信されたテキストメッセージを、予め登録された１以上の第２の携帯端末に送信する、転送手段を有するサーバと、サーバから受け取ったテキストメッセージを、第１の携帯端末の登録情報と共に表示する、メッセージ解析表示手段を有する第２の携帯端末と、を有するものである。
【０００９】
本発明にかかる通知方法は、携帯端末により、ユーザの音声メッセージを、テキストメッセージに変換して送信し、テキストメッセージをサーバで転送し、テキストメッセージを、第１の携帯端末の登録情報と共に表示するものである。
【００１０】
本発明にかかる通知プログラムは、ユーザの音声メッセージを、テキストメッセージに変換させ、テキストメッセージをサーバに対して送信させ、サーバから受け取ったテキストメッセージを、送信元の第１の携帯端末の登録情報と共に表示させる処理をコンピュータに実行させるものである。
【発明の効果】
【００１１】
本発明によれば、送信側の携帯端末から受信側の携帯端末に送信されるテキストメッセージをより容易に入力可能な通知システム、通知方法及び通知プログラムを提供することができる。
【図面の簡単な説明】
【００１２】
【図１】実施の形態１にかかる通知システムの概要を示すブロック図である。
【図２】実施の形態１にかかる通知システムの動作を示すフローチャートである。
【図３】実施の形態１にかかる携帯端末の表示画面に表示されたテキストメッセージの例を示す図である。
【図４】実施の形態２にかかる通知システム２の概要を示すブロック図である。
【図５】実施の形態３にかかる通知システム３の概要を示すブロック図である。
【図６】実施の形態４にかかる通知システム４の概要を示すブロック図である。
【図７】実施の形態４にかかる携帯端末の表示画面に表示されたテキストメッセージの例を示す図である。
【発明を実施するための形態】
【００１３】
実施の形態１
以下、図面を参照して本発明の実施の形態について説明する。本実施の形態にかかる通知システムは、状況の登録としてユーザが携帯端末に登録したメッセージを、他の携帯端末に通知するものである。
【００１４】
図１は、本実施の形態にかかる通知システムの概要を示すブロック図である。本実施の形態にかかる通知システム１は、第１の携帯端末としての携帯端末１０と、サーバ２０と、第２の携帯端末としての携帯端末３０とを有する。
【００１５】
携帯端末１０及び３０は、具体的にはスマートフォン、タブレット端末、携帯電話機等である。携帯端末１０及び３０は、図示しないマイク、スピーカー、ネットワークを介して外部との通信を可能にする無線通信部、表示パネル等の表示部、メモリ、ＣＰＵ等を有する。
【００１６】
携帯端末１０は、音声変換送信部１１を有する。音声変換送信部１１は、ユーザの音声メッセージを図示しないマイクを介して入力し、テキストメッセージ、例えばショートメールメッセージ等に変換して、無線通信を介してサーバ２０に送信する。
【００１７】
なお、音声変換送信部１１は、音声入力が失敗した場合には、予め登録されている複数のテキストを携帯端末１０の表示パネル（不図示）に表示するようにし、ユーザが、表示された複数のテキストから、送信するテキストを選択するようにしてもよい。また、ユーザが直接テキスト入力するようにしてもよい。またさらに、状況の登録の際には、音声入力によるメッセージのみでなく、例えば、携帯端末１０が一定以上の速度で移動していた場合には、音声変換送信部１１は、移動中である旨のメッセージを自動的に携帯端末３０に対して送信するようにしてもよい。
【００１８】
サーバ２０は、携帯端末１０からネットワークを介して送信されたテキストメッセージを、予め登録された携帯端末３０に送信する、転送部２１を有する。
【００１９】
携帯端末３０は、サーバ２０から受け取ったテキストメッセージを、携帯端末１０の登録情報、例えば電話帳に登録された携帯端末１０のユーザの氏名と電話番号等、と共に表示する、メッセージ表示部を有する。
【００２０】
図２は、本実施の形態にかかる通知システムの動作を示すフローチャートである。まず、ユーザは、携帯端末１０に、現在の状況、例えば「会議中です」等、を音声入力する（ステップＳ１）。次に、音声入力されたメッセージを、テキストメッセージに変換して、図示しない表示部に表示する（ステップ２）。
【００２１】
ユーザは、音声入力した内容が、正確にテキストメッセージに変換されているか確認し（ステップＳ３）、正確にテキストに変換されていなかった場合（ステップＳ３：Ｎｏ）、ユーザが手動でテキストメッセージの入力を行う（ステップＳ４）。
【００２２】
ステップＳ３において、音声入力した内容が、正確にテキストメッセージに変換されている場合（ステップＳ３：Ｙｅｓ）、ユーザは、メッセージを送信する（ステップＳ５）。
【００２３】
図３は、携帯端末３０に表示されたテキストメッセージを示す図である。携帯端末３０は、表示パネル３２に、予め登録された、送信元のユーザの登録情報と、ユーザが送信したテキストメッセージとが表示される。ここでは、登録情報として、携帯端末３０の電話帳に記録された情報を用い、登録情報としての複数のユーザの氏名及び電話番号と、登録された相手から送信されたメッセージとを表示する。図３では、ユーザ１とユーザ２は会議中、ユーザ３は運転中であることが表示されている。なお、本実施の形態においては電話帳の氏名と電話番号とを用いたが、登録情報はこれに限られるものではなく、例えばあだ名、アカウント名、ハンドルネーム等でもよい。
【００２４】
これにより、携帯端末３０のユーザは、携帯端末１０のユーザの現在の状況を把握でき、相手の都合の悪い状況で発呼することを防止することができる。
【００２５】
本実施の形態にかかる通知システムにおいては、携帯端末１０から携帯端末３０に対して送信されたメッセージを、例えば電話帳などのアプリケーションソフトの画面で確認することができる。これにより、携帯端末３０から携帯端末１０に対して発呼する前に、相手の状況を把握できるため、相手が携帯端末を使用できない状況下での電話発信を避けることが可能となる。
【００２６】
また、ユーザは、音声入力による、メッセージの入力を可能にすることで、より容易に状況の登録をすることができる。
【００２７】
実施の形態２
本実施の形態にかかる通知システムは、状況の登録としてユーザが携帯端末に登録したメッセージの内容に基づいて、サーバに登録された携帯端末のうち、通知する携帯端末を変更するものである。
【００２８】
図４は本実施の形態にかかる通知システム２の概要を示すブロック図である。通知システム２は、携帯端末４０と、サーバ２０と、携帯端末３０とを有する。
【００２９】
携帯端末４０は、音声変換送信部４１を有する。音声変換送信部４１は、変換部４１１と、ショートメール送信部４１２と有する。
【００３０】
変換部４１１は、ユーザの入力した音声メッセージを、テキストメッセージに変換する。ショートメール送信部４１２は、テキストメッセージを、ショートメールメッセージにしてサーバ２０に送信する。ショートメールメッセージとしてテキストメッセージを送信することにより、例えば、特定のホームページにアクセスする等することなく、メッセージを送信することができる。
【００３１】
実施の形態３
本実施の形態にかかる通知システムは、実施の形態２と同様に、状況の登録としてユーザが携帯端末に登録したメッセージの内容に基づいて、サーバに登録された携帯端末のうち、通知する携帯端末を変更するものである。
【００３２】
図５は、本実施の形態にかかる通知システム３の概要を示すブロック図である。通知システム３は、携帯端末１０と、サーバ５０と、携帯端末３０とを有する。
【００３３】
サーバ５０は、転送部５１と、ユーザデータベース５２と、サーバ判断部５３とを有する。
【００３４】
ユーザデータベース５２は、第１の携帯端末としての携帯端末１０の識別情報と、携帯端末１０の識別情報と関連づけられて登録された、第２の携帯端末としての携帯端末３０にテキストメッセージを送信するための送信先情報と、が登録されている。さらに、ユーザデータベース５２は、複数の携帯端末３０の送信先情報が、グループ１〜ｎに分けて登録されている。
【００３５】
具体的には、ユーザデータベース５２に登録されたグループ１〜ｎは、例えば、「職場」、「友人」、「家族」、「学友」等、状況を通知したい相手であって、予め複数のグループに分けて登録されている。
【００３６】
識別情報とは、サーバ２０が、テキストメッセージがいずれの携帯端末１０から送信されたことを判断するための情報である。つまり、識別情報とは例えば、ユーザデータベース５２に登録された、携帯端末１０の電話番号やメールアドレス、携帯端末自体の識別番号等である。
【００３７】
送信先情報とは、サーバ２０が、テキストメッセージを転送するための情報である。本実施の形態においては、サーバ２０は、携帯端末３０にショートメールメッセージを送信するため、送信先情報は、携帯端末３０の電話番号である。なお、送信先情報はこれに限定されるものではなく、例えば転送されるテキストメッセージが電子メールであった場合には、送信先情報は、メールアドレス等であってもよい。
【００３８】
ユーザデータベース５２に登録された携帯端末３０の追加、変更は、ユーザが携帯端末１０を用いてユーザデータベース５２にアクセスすることにより可能であるよう構成される。これにより、携帯端末１０のユーザは、ユーザデータベース５２の追加、変更が可能になる。
【００３９】
また、ユーザデータベース５２に携帯端末３０が新規に追加された場合、又はユーザデータベース５２から携帯端末３０が削除された場合、携帯端末３０に対し、ユーザデータベース５２から、ユーザデータベース５２の変更について報知するメール等が送信されるようにしてもよい。これにより、テキストメッセージを受け取る側の携帯端末３０のユーザに、サーバ２０からテキストメッセージが送信開始される、又は送信が停止することを報知することが可能になる。
【００４０】
サーバ判断部５３は、例えば、ユーザが入力したテキストメッセージから、特定のワードを検出すると、そのワードに関係のあるグループにメッセージを送信するよう判断し、サーバ判断部５３の判断に応じて、転送部５１が転送するよう構成されている。例えば、ユーザが登録したメッセージが、「会議中です」であった場合、「会議」のワードが職場に関連があると判断し、「職場」グループの携帯端末に送信すると判断する。また、例えば、特定のグループに通知することを、テキストメッセージを表示する際に、携帯端末３０の図示しない表示パネルに一緒に表示するようにしてもよい。さらに、メッセージの登録の際、ユーザが特定のグループに通知することを入力可能なようにしてもよい。
【００４１】
転送部５１は、サーバ判断部５３の判断に基づいて、テキストメッセージを特定のグループに登録された携帯端末３０に転送する。
【００４２】
これにより、本実施の形態にかかる通知システムは、登録されたメッセージの内容に基づいて、通知する携帯端末のグループを変更することができる。
【００４３】
なお、本実施の形態においては、通知するグループは、サーバ５０で判断されるが、通知するグループを、携帯端末１０で判断し、判断結果をサーバに通知するようにしてもよい。
【００４４】
実施の形態４
本実施の形態にかかる通知システムは、テキストメッセージに応じて、メッセージを受信した携帯端末の表示を変更するものである。
【００４５】
図６は、本実施の形態にかかる通知システム４の概要を示すブロック図である。本実施の形態にかかる通知システム４は、第１の携帯端末としての携帯端末１０と、サーバ２０と、第２の携帯端末としての携帯端末６０とを有する。
【００４６】
携帯端末６０は、メッセージ表示部６１を有し、メッセージ表示部６１は、情報取得部６１１と、表示部６１２とを有する。
【００４７】
情報取得部６１１は、サーバ２０から受け取ったテキストメッセージから、携帯端末１０の着信の可否を示す情報である、着信可否情報と、予定時刻を示す情報である時刻情報を取得する。
【００４８】
表示部６１２は、情報取得部６１１の情報取得結果、つまり着信可否情報と時刻情報とを、携帯端末６０に予め登録された、携帯端末１０の登録情報と共に表示する。
【００４９】
携帯端末１０において、ユーザは音声変換送信部１１を用いて、テキストメッセージを登録する際に、例えば「会議  着信不可  １０：００〜１２：００」と登録する。
【００５０】
サーバ２０の転送部２１は、携帯端末１０からのテキストメッセージを、携帯端末６０に転送する。携帯端末６０は、サーバ２０からテキストメッセージを受信する。
【００５１】
携帯端末６０の情報取得部６１１は、受け取った「会議  着信不可  １０：００〜１２：００」というテキストメッセージから、「着信不可」の部分を着信可否情報として、また、「１０：００〜１２：００」の部分を時刻情報として取得し、表示部６１２に出力する。
【００５２】
表示部６１２は、情報取得部６１１からの出力に基づいて、テキストメッセージを表示する。具体的には、テキストメッセージである「会議」と、着信可否情報である「不」と、時刻情報である「１０：００〜１２：００」を表示する。ここで、時刻情報については、「１０：００〜１２：００」と、携帯端末６０の表示パネルに表示するだけではなく、例えば、テキストメッセージである「会議」を、１０時から１２時の時間だけ表示するようにしてもよい。
【００５３】
図７は、携帯端末６０の表示画面６２に表示されたテキストメッセージの例を示す図である。携帯端末６０のユーザが、携帯端末６０の電話帳を閲覧すると、携帯端末６０の電話帳の情報と共に、着信可否情報と、テキストメッセージとが、時刻情報の指定された時刻の間のみ表示される。
【００５４】
ユーザ１が会議中であって、着信不可であるために、「不」と「会議中」の文字が表示されている。ユーザ２は食事中であって、着信可であるために、「可」と「食事中」の文字が表示されている。ユーザ３は、特にメッセージが登録されていない。
【００５５】
これにより、本実施の形態にかかる通知システム４は、登録されたメッセージから情報を取得し、より確認しやすく表示することが可能である。本実施の形態においては、登録されたメッセージから着信可否情報と、時刻情報とを取得する処理は、携帯端末６０の有する、情報取得部６１１により実施されるものとしているが、これに限定されるものではない。例えば、登録されたメッセージから着信可否情報と、時刻情報とを取得する処理は、携帯端末１０にて実行され、携帯端末１０からは、着信可否情報と、時刻情報と、「会議」等の予定を示す情報とに変換され、送信されるようにしてもよい。また、例えば、サーバにおいて登録されたメッセージから着信可否情報と、時刻情報とを取得する処理が実施され、時刻情報に基づいて、サーバがテキストメッセージを転送するようにしてもよい。
【００５６】
なお、以上の記述においては、記載の冗長化を防ぐため、メッセージを送信する送信側の携帯端末と、メッセージを受信する受信側の携帯端末とを区別して記載した。しかし、本実施の形態が実施される場合は、送信側携帯端末と送信側携帯端末の区別はなく、受信側携帯端末と送信側携帯端末とは相互にメッセージを送受信可能であるものとする。
【００５７】
本発明は上記実施の形態に限られたものではなく、趣旨を逸脱しない範囲で適宜変更することが可能である。例えば、実施の形態１〜４に記載された携帯端末及びサーバは、複数を組み合わせて実施することも可能である。
【００５８】
またさらに、携帯端末を介して登録したメッセージを、ソーシャルネットワークサービス等と連携させ、登録したメッセージが反映されるようにしてもよい。
【００５９】
上述の実施の形態では、ハードウェアの構成として説明したが、これに限定されるものではなく、任意の処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６０】
１  通知システム
２  通知システム
３  通知システム
４  通知システム
１０  携帯端末
１１  音声変換送信部
２０  サーバ
２１  転送部
３０  携帯端末
３１  メッセージ表示部
３２  表示パネル
４０  携帯端末
４１  音声変換送信部
５０  サーバ
５１  転送部
５２  ユーザデータベース
５３  サーバ判断部
６０  携帯端末
６１  メッセージ表示部
４１１  変換部
４１２  ショートメール送信部
４１３  メッセージ判断部
６１１  情報取得部
６１２  表示部
【図１】
2013197911.tif 000003
【図２】
2013197911.tif 000004
【図３】
2013197911.tif 000005
【図４】
2013197911.tif 000006
【図５】
2013197911.tif 000007
【図６】
2013197911.tif 000008
【図７】
2013197911.tif 000009